(57)【要約】【課題】幕体の開閉時に騒音の発生が確実に抑制できて、しかも製造コストを安価とすることが出来るシェード装置を提供する。  【解決手段】左右一対のガイドレールと、これら一対のガイドレール間に張設される幕体とが備えられているシェード装置において、前記幕体に布製の帯部材を取り付けるとともに、この帯部材の遊端部には、この遊端部を纏めてなる束ね部を一体形成する一方、ガイドレールには、前記延長部の挿通口と前記束ね部の装填室が該ガイドレールの長手方向に沿って備えられ、前記束ね部が、前記帯部材の遊端部を挟んで一対の第1束ね片と第２束ね片とから構成されて、これら第1束ね片及び第２束ね片と前記帯部材の遊端部とで略Ｔ字状に形成されており、また束ね部の最大厚さを、前記挿通口の開口幅よりも小さくするとともに、前記第1束ね片と前記第２束ね片を重ね合わせた時の厚さを、前記挿通口の開口幅よりも大きくしている。【選択図】図３
2010084478.tif 000002
【特許請求の範囲】
【請求項１】
左右一対のガイドレールと、これら一対のガイドレール間に張設される幕体とが備えられているシェード装置において、前記幕体に布製の帯部材を取り付けるとともに、この帯部材の遊端部には、この遊端部を纏めてなる束ね部を一体形成する一方、ガイドレールには、前記延長部の挿通口と前記束ね部の装填室が該ガイドレールの長手方向に沿って備えられていることを特徴とするシェード装置。
【請求項２】
前記束ね部が、前記帯部材の遊端部を挟んで一対の第1束ね片と第２束ね片とから構成されて、これら第1束ね片及び第２束ね片と前記帯部材の遊端部とで略Ｔ字状に形成されていることを特徴とする請求項１に記載のシェード装置。
【請求項３】
前記束ね部の最大厚さを、前記挿通口の開口幅よりも小さくするとともに、前記第1束ね片と前記第２束ね片を重ね合わせた時の厚さを、前記挿通口の開口幅よりも大きくしていることを特徴とする請求項２に記載のシェード装置。
【発明の詳細な説明】
【技術分野】
【０００１】
本発明は、例えば  家屋のポーチやひさしのルーフに取り付けるシェード装置に関する。
【背景技術】
【０００２】
一般にこの種のシェード装置は、家屋のポーチやひさしのルーフの下面を覆う布製の幕体と、この幕体の両側に取り付けた合成樹脂製のランナーと、ランナーを移動可能に支持する左右一対のガイドレールが備えられている。
そして前記した左右一対のガイドレールを、ポーチやひさしを構成するルーフの左右両側方に平行に取り付けるとともに、このガイドレール内にランナーを移動可能に装填して、ガイドレールに対するランナーの移動により、ランナーを介して左右ガイドレール間に掛け渡されている幕体を広げて、ルーフの下面を覆ったり、あるいは幕体を折畳んで、ルーフの下面側を開放するようにしている（特許文献１参照）。
【０００３】
ところで、以上のシェード装置では、一般的に、ランナーが硬質の合成樹脂材料から形成され、またガイドレールも金属や硬質の合成樹脂材料から形成されていることから、幕体の開閉時、ランナーのガイドレールに対する移動により、騒音が生じる不具合があるし、また特に以上のシェード装置が屋外に設置された場合、幕体が風にあおられると、ランナーがガイドレールに衝突して、同じく騒音が生じたり、あるいは風より、幕体が勝手に開いたり閉じたりする不具合も考えられる。
【０００４】
また以上のシェード装置では、ランナーをガイドレールに装填するにしても、  ランナーをガイドレールの長さ方向途中からガイドレール内に装填することが困難であり、ガイドレールの長さ方向一端に開口する装填口から装填するしかなく、そのため、ランナーのガイドレールへの取り付けに際しては、その都度、ガイドレールの長さ方向一端に組みつけられている装填口の閉鎖カバー部材を取り外さねばならず、全体としてランナーの取り付けに手間を要するものである。  
【特許文献１】特開平６−１９３３６１号
【発明の開示】
【発明が解決しようとする課題】
【０００５】
本発明は以上の実情に鑑みて開発したものであって、目的とするところは、幕体の開閉時に騒音の発生が確実に抑制できて、しかも低コストで提供することが出来るシェード装置を提供せんとする。
【課題を解決するための手段】
【０００６】
前記した目的を達成するために、請求項１に記載の発明は、左右一対のガイドレールと、これら一対のガイドレール間に張設される幕体とが備えられているシェード装置において、前記幕体に布製の帯部材を取り付けるとともに、この帯部材の遊端部には、この遊端部を纏めてなる束ね部を一体形成する一方、ガイドレールには、前記延長部の挿通口と前記束ね部の装填室が該ガイドレールの長手方向に沿って備えられていることを特徴とする。
【０００７】
また請求項２に記載の発明は、請求項１に記載のシェード装置において、前記束ね部が、前記帯部材の遊端部を挟んで一対の第1束ね片と第２束ね片とから構成されて、これら第1束ね片及び第２束ね片と前記帯部材の遊端部とで略Ｔ字状に形成されていることを特徴とする。
【０００８】
また請求項３に記載の発明は、請求項２に記載のシェード装置において、前記束ね部の最大厚さを、前記挿通口の開口幅よりも小さくするとともに、前記第1束ね片と前記第２束ね片を重ね合わせた時の厚さを、前記挿通口の開口幅よりも大きくしていることを特徴とする。
【発明の効果】
【０００９】
請求項１に記載の発明によれば、束ね部が布から構成されるので、ガイドレールに対する束ね部の摺動時、騒音が発生しないし、ガイドレールの装填室内での束ね部の移動時の摺動抵抗が、従来の合成樹脂製のランナーなどに比べて大きいので、例えば幕体に風が作用しても、束ね部がガイドレールに対して不用意に摺動するのが抑制され、従って、幕体が風で勝手に開いたり閉じたりするような不具合が抑制される。
【００１０】
請求項２に記載の発明によれば、請求項１に記載の発明の効果に加え、束ね部のガイドレールに対する束ね部の移動がより一層安定的に行なえ、幕体の開閉がより一層円滑となる。
【００１１】
請求項３に記載の発明によれば、請求項２に記載の発明の効果に加え、前記挿通口から前記装填室への束ね部の装填ないし取り外し作業が行なえるので、幕体のガイドレールへの取り付けまたは取り外しが簡単かつ容易に行なうことができめる。
【発明を実施するための最良の形態】
【００１２】
以下、本発明の実施形態について図面を参照しながら説明する。
【００１３】
図１は本発明にかかるシェード装置の一実施形態を備えたポーチの概略斜視図、
図２は、同要部の断面図、
図３は、シェード装置の要部の拡大断面図、
図４は、シェード装置の補強帯部材に設けた束ね部の拡大斜視図である。
【００１４】
図において符号２で示すシェード装置は、図１に示すように、家屋のベランダＶに設置したポーチ１に取り付けたものである。
【００１５】
ポーチ１は、ベランダに立設する複数本の支柱１１と、これら支柱１１の上端に架設された桁１２と、家屋の外壁から前記した桁１２に掛け渡された複数本の垂木１３と、これら垂木１３間に架設された保持枠１４と、この保持枠１４上に載置されてルーフＲを画成する透明のルーフ板１５とから構成されている。
【００１６】
尚、前記した支柱１１、桁１２、垂木１３、受け枠１４は、いずれもアルミニウム材から形成されており、ルーフ板１５は、ポリカーボネイトから形成されている。
【００１７】
次に図に示すシェード装置２は、図１にも示すように、前記したポーチ１の相対向する一対の垂木１３間におけるルーフ板１５の下方に設けられている。
【００１８】
このシェード装置２は、一対の垂木１３の対向面にそれぞれ固定される左右一対のガイドレール３と、これら一対のガイドレール３間に張設される布製の幕体４とから構成されている。
【００１９】
ガイドレール３は、図３にも示すように、垂木１３の対向面に固定する固定板部３１と、この固定板３１の上端から９０度屈曲した上板部３２と、固定板部３１の長さ方向中間部から屈曲板部３２と同方向に湾曲状に延びる第１ガイド板部３３と、上板部３２の遊端から下方に向かって湾曲状に延びる第２ガイド板部３４とから構成されている。
【００２０】
そして、第1ガイド板部３３及び第２ガイド板部３４の各遊端は、円弧面３３ａ・３４ａに形成され、これら第1ガイド板部３３の遊端と第２ガイド板部３４の遊端間には、後記する補強帯部材４２の延長部４３を通すための挿通口３５がガイドレール３の長手方向全長にわたって設けられており、また固定板部３１の上部側と上板部３２と第1ガイド板部３３と第２ガイド板部３４とにより、後記する束ね部４４の装填室３６が同じくガイドレール３の長手方向全長にわたって画成されている。
【００２１】
実施形態では、挿通口３５の開口幅Ｓ１を５．５ｍｍとしている。
【００２２】
一方、幕体４は、布から形成された矩形状の幕本体４１と、この幕本体４１の左右両端縁、幕本体４１の長さ方向両端縁並びに長さ方向中間部にそれぞれ逢着された布製の補強テープからなる補強帯部材４２とから構成されている。
【００２３】
補強帯部材４２は、極太の糸を平織りした補強テープを用いているのであって、この補強帯部材４２の厚さＴは、約１．６ｍｍであり、また幅Ｓ２は、約３０ｍｍである。
【００２４】
そして図に示す実施形態では、幕本体４１の長さ方向両端縁並びに長さ方向中間部において幅方向に逢着された補強帯部材４２の長さ方向両端を延長するとともに、この延長部４３の遊端部を纏めて、前述の装填室３６に装填される束ね部４４を一体形成している。
【００２５】
即ち、図に示す実施形態では、図４にも示すように、補強帯部材４２の延長部４３の遊端部を巻き重ねて、その巻き重ねた中央部分を逢着することで、前記した延長部４３の遊端に、延長部４３を挟んで一対の第1束ね片４４ａと第２束ね片４４ｂとから構成されて、延長部４３の遊端部とで略Ｔ字状に縫製された束ね部４４を一体に形成している。
【００２６】
またこの束ね部４４の最大厚さＴ１を、挿通口３５の開口幅Ｓ１よりも小さくするとともに、第1束ね片４４ａと第２束ね片４４ｂを重ね合わせた時の厚さＴ２を、挿通口３５の開口幅Ｓ１よりも大きくしている。
【００２７】
実施形態では、挿通口３５の開口幅Ｓ１を前記したように、５．５ｍｍとし、また束ね部４４の最大厚さＴ１を４．５ｍｍとするとともに、第1束ね片４４ａと第２束ね片４４ｂを重ね合わせた時の厚さＴ２を、７．５ｍｍとしている。
【００２８】
以上の構成からなるシェード装置２は、ガイドレール3に対する束ね部４４の移動により、幕体４の開閉が行なわれるのであって、束ね部４４が布製の補強テープからなる補強帯部材４２により構成されているので、ガイドレール3に対する束ね部４４の移動時、従来のようにガイドレールに対する合成樹脂製のランナーに当接に伴う騒音が発生しない。
【００２９】
また装填室３６内での束ね部４４の移動時の摺動抵抗が、従来の合成樹脂製のランナーなどに比べて大きいので、例えば幕体４に風が作用しても、束ね部４４がガイドレール３に対して不用意に移動するようなことがなく、従って、幕体４が風で勝手に開いたり閉じたりするような不具合も少ない。
【００３０】
また幕本体４１の補強のために逢着されている補強帯部材４２を利用しているので、部品点数もそれだけ少なくすることが出来るし、製造コストの低減も図れる。
【００３１】
ところで、以上の構造のシェード装置２では、束ね部４４が布製の補強帯部材４２から形成され、しかも束ね部４４の最大厚さＴ１が、挿通口３５の開口幅Ｓ１よりも小さくしていることから、束ね部４４を装填室３６内に装填するに際して、挿通口３５からの装填室３６内への装填が簡単且つ容易に行なえる。
【００３２】
即ち、束ね部４４を挿通口３５から装填室３６内に装填するには、図５に示すように、延長部４３を第２束ね片４４ｂに沿わせて状態にして、まず第１束ね片４４ａを挿通口３５から装填室３６内に挿入した後、図６に示すように、続いて第２束ね片４４ｂを装填室４３内に挿入する。
【００３３】
そして、図６に示す状態から図７に示すように延長部４３を第２ガイド板部３４の遊端縁に接触させた状態で矢印Ｘ１方向に引き戻すことで、図７に示すように、第２束ね片４４ｂを第２ガイド板部３４側に導いて、最終的には図３に示すように、この第１束ね部４４ａを第1ガイド板部３３の内側面に沿わせるとともに、第２束ね片４４ｂを第２ガイド板部３４の内側面に沿わせればよい。
【００３４】
斯くして延長部４３が図３に示す状態から矢印Ｘ２方向に引っ張られた場合でも、第1束ね片４４ａと第２束ね片４４ｂを重ね合わせた時の厚さＴ２が、挿通口３５の開口幅Ｓよりも大きいので、束ね部４４が挿通口３５の外方に不用意に抜け外れるような不具合は生じない。
【００３５】
一方、装填室３６内の束ね部４４を挿通口３５から外部に取り外す場合には、図３に示す状態の束ね部４４に対して、延長部４３を装填室３６内に強制的に押し込むことにより、第２束ね片４４ｂの遊端部が挿通口３５に臨む位置まで束ね部４４を図３において反時計方向に回転させる。
【００３６】
そして、図８に示すように、第２束ね片４４ｂの遊端部が挿通口３５に臨む状態となった時点で、図８において２点鎖線で示すように延長部４３を第１ガイド板部３３の端縁に接触させた状態で矢印Ｘ３方向に引き戻せば、第2束ね片４４ｂの遊端部が挿通口３５から外部に自動的に引き出されて、最終的には、束ね部４４を装填室３６から取り出すことが出来る。
【００３７】
以上の実施形態では、本発明にかかるシェード装置２をベランダのポーチ１に取り付けたが、これに限定されるものではなく、例えば家屋のひさしに取り付けてもよい。
【００３８】
また以上の実施形態では、補強帯部材４２の延長部４３の遊端部を巻き重ねて、その巻き重ねた中央部分を逢着することで、延長部４３を挟んで一対の第1束ね片４４ａと第２束ね片４４ｂとから構成されて、延長部４３の遊端部とで略Ｔ字状に縫製された束ね部４４を一体に形成したが、図９に示すように、蛇腹状に折り重ねて、その折り重ねた中央部分を逢着することで、延長部４３を挟んで一対の第1束ね片４４ａと第２束ね片４４ｂとから構成されて、延長部４３の遊端部とで略Ｔ字状に縫製された束ね部４４を一体に形成してもよい。
【００３９】
また以上の実施形態では、補強帯部材４２の延長部４３の遊端部を巻き重ねて、その巻き重ねた中央部分を逢着することで、延長部４３を挟んで一対の第1束ね片４４ａと第２束ね片４４ｂとから構成されて、延長部４３の遊端部とで略Ｔ字状に縫製された束ね部４４を一体に形成したが、これに限定されるものではなく、例えば、延長部４３の遊端部を渦巻き状に纏めた円筒状の束ね部４４としてもよい。
【００４０】
また以上の実施形態では、幕本体４１の長さ方向両端縁並びに長さ方向中間部において幅方向に逢着された補強帯部材４２の長さ方向両端を延長するとともに、この延長部４３の遊端部を纏めて束ね部４４を一体形成したが、これに限定されるものではなく、例えば前記幕体の幅方向両側に帯部材を別途取り付けるとともに、この帯部材の遊端部に束ね部を設けてもよい。
【図面の簡単な説明】
【００４１】
【図１】本発明にかかるシェード装置を備えたポーチの斜視図。
【図２】同、要部の断面図。
【図３】シェード装置の要部の拡大断面図。
【図４】補強帯部材に設けた束ね部の拡大斜視図。
【図５】束ね部をガイドレールの装填室に装填する過程を示す説明図。
【図６】束ね部をガイドレールの装填室に装填する過程を示す説明図。
【図７】束ね部をガイドレールの装填室に装填する過程を示す説明図。
【図８】束ね部をガイドレールの装填室から取り外す過程を示す説明図。
【図９】補強帯部材に設けた束ね部の別の実施形態を示す拡大側面図。
【符号の説明】
【００４２】
１      ポーチ
１１    支柱
１３    垂木
１４    保持枠
１５    ルーフ板
２      シェード装置
３      ガイドレール
３１    固定板部
３３    第１ガイド板部
３４    第２ガイド板部
３５    挿通口
３６    装填室
４      幕体
４１    幕本体
４２    補強帯部材
４３    延長部
４４    束ね部
４４ａ  第１束ね片
４４ｂ  第２束ね片
【図１】
2010084478.tif 000003
【図２】
2010084478.tif 000004
【図３】
2010084478.tif 000005
【図４】
2010084478.tif 000006
【図５】
2010084478.tif 000007
【図６】
2010084478.tif 000008
【図７】
2010084478.tif 000009
【図８】
2010084478.tif 000010
【図９】
2010084478.tif 000011